(57)【特許請求の範囲】
【請求項１】
ＣＰＵと、
供給されたデータにしたがった画像をディスプレイに表示させるためのディスプレイコントローラ回路と、
上記ＣＰＵと上記ディスプレイコントローラ回路との間に接続されたバスラインと、
ＤＶＤからデータを読み出すＤＶＤ−ＲＯＭドライブ装置と、
動画デコーダ回路と、
上記動画デコーダ回路の前段に設けられたバッファメモリ回路と、
上記ＤＶＤ−ＲＯＭドライブ装置と、上記バスラインおよび上記バッファメモリ回路との間に設けられたデータセレクタ回路と
を有し、
上記ＤＶＤ−ＲＯＭドライブ装置により上記ＤＶＤから地図データが読み出されるときには、その読み出された地図データが、上記データセレクタ回路および上記バスラインを通じて上記ＣＰＵに供給されて処理されるとともに、
その処理結果が上記バスラインを通じて上記ディスプレイコントローラ回路に供給され、
上記ＤＶＤ−ＲＯＭドライブ装置により上記ＤＶＤから動画データが読み出されるときには、その読み出された動画データが、上記データセレクタ回路を通じて上記バッファメモリ回路に供給されるとともに、
このバッファ回路に供給された動画データが上記動画デコーダ回路に供給されてデコード処理され、
このデコード処理された動画データが上記ディスプレイコントローラ回路に供給される
ようにしたナビゲーション装置。
【請求項２】
請求項１に記載のナビゲーション装置において、
上記ＤＶＤ−ＲＯＭドライブ装置により上記ＤＶＤから動画データが読み出されるとき、上記ＣＰＵが、上記バッファメモリ回路における上記動画データのデータ量に関する管理を行う
ようにしたナビゲーション装置。
【発明の詳細な説明】
【０００１】
【発明の属する技術分野】
この発明は、動画の再生機能を有するナビゲーション装置に関する。
【０００２】
【従来の技術】
車載用のナビゲーション装置においては、ＤＶＤ−ＲＯＭなどから読み出した地図データにしたがってディスプレイに地図を表示することができる。そして、このような電子地図によれば、表示するエリアを容易に、あるいは連続的に変更することができるので、一般の書籍形式の地図帳に比べ、便利に使用することができる。
【０００３】
また、そのナビゲーション装置のＤＶＤ−ＲＯＭのドライブ装置によってＤＶＤ−Ｖｉｄｅｏの再生を行えば、映画などを観ることもできる。あるいはＤＶＤ−ＲＯＭの場合には、その容量が大きいので、ＤＶＤ−ＲＯＭに、地図データに加えて動画データを収納しておくことができ、この動画データにより地図に関連した動画を表示させることもできる。
【０００４】
なお、以下の説明においては、必要に応じて、ＤＶＤ−ＲＯＭおよびＤＶＤ−ＶｉｄｅｏをＤＶＤと総称する。
【０００５】
【発明が解決しようとする課題】
ところで、ＤＶＤから動画データを読み出して動画を表示する場合には、その動画データを、ＣＰＵあるいはＤＭＡ転送により、ＤＶＤのドライブ装置からＭＰＥＧデコーダ回路に転送するようにしている。このため、動画データを転送している期間、ＣＰＵのバスラインが動画データの転送により占拠されてしまうので、ＣＰＵの処理能力が等価的に大きく低下してしまう。
【０００６】
この発明は、このような問題点を解決しようとするものである。
【０００７】
【課題を解決するための手段】
このため、この発明においては、
ＣＰＵと、
供給されたデータにしたがった画像をディスプレイに表示させるためのディスプレイコントローラ回路と、
上記ＣＰＵと上記ディスプレイコントローラ回路との間に接続されたバスラインと、
ＤＶＤからデータを読み出すＤＶＤ−ＲＯＭドライブ装置と、
動画デコーダ回路と、
上記動画デコーダ回路の前段に設けられたバッファメモリ回路と、
上記ＤＶＤ−ＲＯＭドライブ装置と、上記バスラインおよび上記バッファメモリ回路との間に設けられたデータセレクタ回路と
を有し、
上記ＤＶＤ−ＲＯＭドライブ装置により上記ＤＶＤから地図データが読み出されるときには、その読み出された地図データが、上記データセレクタ回路および上記バスラインを通じて上記ＣＰＵに供給されて処理されるとともに、
その処理結果が上記バスラインを通じて上記ディスプレイコントローラ回路に供給され、
上記ＤＶＤ−ＲＯＭドライブ装置により上記ＤＶＤから動画データが読み出されるときには、その読み出された動画データが、上記データセレクタ回路を通じて上記バッファメモリ回路に供給されるとともに、
このバッファ回路に供給された動画データが上記動画デコーダ回路に供給されてデコード処理され、
このデコード処理された動画データが上記ディスプレイコントローラ回路に供給される
ようにしたナビゲーション装置
とするものである。
したがって、ＤＶＤから動画データを読み出している期間、バスラインは、その動画データから開放される。
【０００８】
【発明の実施の形態】
図１において、符号１０はＤＶＤを示し、このＤＶＤ１０は、ＤＶＤ−ＲＯＭあるいはＤＶＤ−Ｖｉｄｅｏである。そして、ＤＶＤ１０が、ＤＶＤ−ＲＯＭの場合には、ナビゲーション用の地図データを収納され、ＤＶＤ−Ｖｉｄｅｏの場合には、例えばＭＰＥＧ方式でエンコードされた映画などの動画データが収納されている。
【０００９】
また、符号２０はマイクロコンピュータを示し、このマイクロコンピュータ２０によりナビゲーション装置が構成されている。すなわち、このマイクロコンピュータ２０は、各種のプログラムを実行するＣＰＵ２１と、それらのプログラムの書き込まれたＲＯＭ２２と、ワークエリア用のＲＡＭ２３とを有し、これらがバスライン（システムバス）２９を通じて互いに接続されている。
【００１０】
さらに、バスライン２９には、各種の操作キー２４がキーインターフェイス回路２５を通じて接続されるとともに、ディスプレイとして例えばカラーＬＣＤ２７が設けられ、このＬＣＤ２７は、これに画像を表示させるためのＬＣＤコントローラ回路２６を通じてバスライン２９に接続されている。
【００１１】
また、このナビゲーション装置には、自律航法ユニット、例えばジャイロ３１が設けられ、このジャイロ３１からは、自分の移動する速度などのデータが取り出され、このデータがマイクロコンピュータ２０に供給される。また、車の走行速度を検出する車速センサ３２が設けられ、その出力信号がマイクロコンピュータ２０に供給される。
【００１２】
さらに、航法衛星、例えばＧＰＳ衛星からの電波がＧＰＳアンテナ３３により受信され、その受信信号がＧＰＳユニット（受信回路）３４に供給され、ＧＰＳユニット３４からは、自分の位置などのデータが取り出され、このデータがマイクロコンピュータ２０に供給される。
【００１３】
また、ＤＶＤ−ＲＯＭドライブ装置４１およびＤＶＤ−ＲＯＭコントローラ回路４２が設けられる。この場合、ドライブ装置４１は、ＤＶＤ１０からデータの読み出しを行うものであり、したがって、ドライブ装置４１には、ナビゲーションの場合には、地図データが収納されているＤＶＤ１０がセットされ、動画を再生する場合には、その動画データの収納されているＤＶＤ１０がセットされる。
【００１４】
さらに、ＤＶＤ−ＲＯＭコントローラ回路４２は、これに外部からコマンドおよびパラメータが供給されると、そのコマンドおよびパラメータにしたがってＤＶＤ−ＲＯＭドライブ装置４１を制御するものである。例えば、ＤＶＤ−ＲＯＭコントローラ回路４２に読み出しおよび読み出し開始セクタなどのコマンドおよびパラメータが供給されると、ＤＶＤ−ＲＯＭドライブ装置４１はＤＶＤ１０の該当するセクタからのデータの読み出しを実行する。
【００１５】
そして、ドライブ装置４１は、ＤＶＤ−ＲＯＭコントローラ回路４２を通じてデータセレクタ回路４３の共通接点に接続され、セレクタ回路４３のＡ側の接点がバスライン２９に接続され、Ｂ側の接点がバッファメモリ回路４４を通じてＭＰＥＧデコーダ回路４５に接続され、このＭＰＥＧデコーダ回路４５の出力がＬＣＤコントローラ回路２６に供給される。
【００１６】
また、バッファメモリ回路４４には、バッファコントローラ回路４６が接続される。このバッファコントローラ回路４６は、バッファメモリ回路４４に残っているデータ量にしたがってバッファメモリ回路４４へのデータの書き込みを実行したり、外部からの読み出し要求にしたがってバッファメモリ回路４４からのデータの読み出しを実行するものである。
【００１７】
このような構成において、ナビゲーションを行う場合および映画などの動画を再生する場合、それらが以下のようにして実現される。
【００１８】
〔ナビゲーションの場合〕
この場合には、ジャイロ３１、車速センサ３２およびＧＰＳユニット３４の出力信号がＣＰＵ２１により処理されて自車位置が判別され、ＤＶＤ−ＲＯＭ１０からは自車位置を含む地図の地図データがＣＰＵ２１を通じて読み出される。
【００１９】
すなわち、ナビゲーションの場合には、ＣＰＵ２１からセレクタ回路４３に所定の制御信号Ｓ43が供給され、セレクタ回路４３は、図１に示すように、Ａ側の接点に接続される。また、ＣＰＵ２１からＤＶＤ−ＲＯＭコントローラ回路４２に読み出し要求などの制御信号Ｓ42が供給されてドライブ装置４１が制御され、ＤＶＤ−ＲＯＭ１０から地図データが読み出される。
【００２０】
そして、このＤＶＤ−ＲＯＭ１０から読み出された地図データが、ドライブ装置４１→ＤＶＤ−ＲＯＭコントローラ回路４２→セレクタ回路４３のＡ側の接点→バスライン２９のデータラインを通じてＲＡＭ２３に転送される。なお、このとき、このデータ転送は、ＣＰＵ２１により実行される。
【００２１】
そして、ＲＡＭ２３の地図データがＣＰＵ２１により処理され、バスライン２９を通じてＬＣＤコントローラ回路２６に供給され、したがって、ＬＣＤ２７には、自車位置を含む地図が表示される。こうして、ＤＶＤ１０が、地図データの収納されたＤＶＤ−ＲＯＭの場合には、ナビゲーションを行うことができる。
【００２２】
〔映画などの動画を再生する場合〕
この場合には、ＣＰＵ２１からの制御信号Ｓ43により、セレクタ回路４３は、図１とは逆に、Ｂ側の接点に接続される。また、バッファコントローラ回路４６により、バッファメモリ回路４４に残っているデータ量が判別され、規定値未満のときには、例えば、バッファフルではないときには、バッファコントローラ回路４６からＤＶＤ−ＲＯＭコントローラ回路４２に読み出し要求などの制御信号Ｓ42が供給されてドライブ装置４１が制御され、ＤＶＤ−Ｖｉｄｅｏ１０から動画データが読み出される。
【００２３】
そして、このＤＶＤ−Ｖｉｄｅｏ１０から読み出された動画データが、ドライブ装置４１→ＤＶＤ−ＲＯＭコントローラ回路４２→セレクタ回路４３のＢ側の接点のデータラインを通じてバッファメモリ回路４４に書き込まれる。
【００２４】
また、このとき、ＭＰＥＧデコーダ回路４５のデコード処理につれてＭＰＥＧデコーダ回路４５からバッファコントローラ回路４６に要求信号Ｓ45が出力され、この結果、バッファメモリ回路４４から動画データが読み出され、この読み出された動画データがＭＰＥＧデコーダ回路４５に転送される。
【００２５】
こうして、ＤＶＤ−Ｖｉｄｅｏ１０から読み出された動画データは、デコーダ回路４５においてもとの動画データにデコードされ、この動画データがＬＣＤコントローラ回路２６に供給され、したがって、ＬＣＤ２７には、映画などの動画が表示される。こうして、ＤＶＤ１０が、映画などの動画データの収納されたＤＶＤ−Ｖｉｄｅｏの場合には、その映画を観ることができる。
【００２６】
〔まとめ〕
以上のようにして、図１のナビゲーション装置によれば、ＤＶＤ１０が、地図データの収納されたＤＶＤ−ＲＯＭであっても、映画などの動画データの収納されたＤＶＤ−Ｖｉｄｅｏであっても、そのＤＶＤ１０を適切に再生することができる。
【００２７】
そして、その場合、特に図１のナビゲーション装置によれば、動画を再生しているときには、ＤＶＤ−ＲＯＭコントローラ回路４２をデータセレクタ回路４３によりバスライン２９から切り離すようにしているので、動画が再生しているときでも、バスライン２９が動画データの転送により占拠されることがなく、したがって、ＣＰＵの等価的な処理能力の低下することがない。
【００２８】
さらに、ＣＰＵの等価的な処理能力の低下がないので、ＤＶＤ１０に地図データと、関連する動画データとが収納されている場合、ＤＶＤ１０から動画データを再生しながら測位などの処理を実行するとき、その処理速度の低下することがない。
【００２９】
なお、上述においては、動画の再生時、バッファコントローラ回路４６がマスタとなってＤＶＤ−ＲＯＭコントローラ回路４２およびバッファメモリ回路４４を制御しているが、処理速度の低下が問題にならない範囲で、ＣＰＵ２１がバッファコントローラ回路４６の処理を代行ないし補助し、バッファメモリ回路４４における動画データのデータ量に関する管理を行うこともできる。
【００３０】
例えば、バッファメモリ回路４４に対する動画データの書き込み量や読み出し量、あるいはバッファメモリ回路４４における動画データの残量を検出するとき、これをＣＰＵ２１が実行し、その検出結果にしたがってバッファコントローラ回路４６にコマンドを送ってバッファコントローラ回路４６に必要な動画データの書き込みや読み出しを実行させることもできる。
【００３１】
あるいはＤＶＤ１０から動画データを読み出すときの開始セクタはＣＰＵ２１がＤＶＤ−ＲＯＭコントローラ回路４２に指示し、以後、読み出される動画データのバッファメモリ回路４４への書き込みは、バッファコントローラ回路４６が実行することもできる。また、例えば動画再生からナビゲーションに切り換えたために、バッファメモリ回路４４に残っている動画データが不要になったとき、その動画データをＣＰＵ２１が消去することもできる。
【００３２】
【発明の効果】
この発明によれば、地図データの収納されたＤＶＤ−ＲＯＭであっても、映画などの動画データの収納されたＤＶＤ−Ｖｉｄｅｏであっても、適切に再生することができる。そして、動画が再生しているときでも、バスラインが動画データの転送により占拠されることがなく、したがって、動画データを再生しながら測位などの処理を行うようなとき、その処理能力の低下することがない。
【図面の簡単な説明】
【図１】この発明の一形態を示す系統図である。
【符号の説明】
１０…ＤＶＤ−ＲＯＭまたはＤＶＤ−Ｖｉｄｅｏ、２０…マイクロコンピュータ、２１…ＣＰＵ、２２…ＲＯＭ、２３…ＲＡＭ、２４…キー、２５…キーインターフェイス回路、２６…ＬＣＤコントローラ回路、２７…カラーＬＣＤ、２９…バスライン、３１…ジャイロ、３２…車速センサ、３３…ＧＰＳアンテナ、３４…ＧＰＳユニット、４１…ＤＶＤ−ＲＯＭドライブ装置、４２…ＤＶＤ−ＲＯＭコントローラ回路、４３…データセレクタ回路、４４…バッファメモリ回路、４５…ＭＰＥＧデコーダ回路、４６…バッファコントローラ回路
【図１】
0004186031.tif 000002